(57)【要約】【課題】光通信用のフェルール及び光モジュールにおいて、組立調整が容易で、受光感度のばらつきが少なく、光分波特性が優れた信頼性の高いフェルール及び光モジュールを提供する。【解決手段】光分波板６を挿入する光分波板挿入溝５を備えたフェルール１において、光分波板挿入溝の片側の面の上部に第１の光ファイバ２ａの側面が露出しない第１平坦部７と、光分波板挿入溝の他方の面の上部に第２の光ファイバ２ｂの側面が露出した第２平坦部４とを備える。【選択図】        図１
2004347827.tif 000002
【特許請求の範囲】
【請求項１】
光分波板を挿入する溝を備えたフェルールにおいて、
前記溝の片側の面の上部に第１の光ファイバの側面が露出しない第１平坦部と、
前記溝の他方の面の上部に第２の光ファイバの側面が露出した第２平坦部とを、
備えたことを特徴とするフェルール。
【請求項２】
請求項１に記載のフェルールにおいて、
前記第２平坦部に接して前記第２の光ファイバ側面が露出しない第３平坦部を更に備え、
前記第１平坦部の面の高さと前記第３平坦部の面の高さとを一致させたことを特徴とするフェルール。
【請求項３】
光分波板を挿入する溝と、前記溝の片側の面の上部に第１の光ファイバの側面が露出しない第１平坦部と、前記溝の他方の面の上部に第２の光ファイバの側面が露出した第２平坦部とを備えたフェルールと、前記光分波板と、受光素子を実装した基板とを備えた光モジュールにおいて、
前記フェルールの第２平坦部の面を基準とした前記フェルールの第１平坦部の面の高さが、前記基板の実装面を基準とした前記受光素子の高さより大きいことを特徴とする光モジュール。
【請求項４】
光分波板を挿入する溝と、前記溝の片側の面の上部に第１の光ファイバの側面が露出しない第１平坦部と、前記溝の他方の面の上部に第２の光ファイバの側面が露出した第２平坦部と、前記第２平坦部に接して前記第２の光ファイバの側面が露出しない第３平坦部とを備え、前記第１平坦部の面の高さと前記第３平坦部の面の高さとを一致させたフェルールと、前記光分波板と、受光素子を実装した基板とを備えた光モジュールにおいて、
前記フェルールの第２平坦部の面を基準とした前記フェルールの第１平坦部の面及び前記フェルールの第３平坦部の面の高さが、前記基板の実装面を基準とした前記受光素子の高さより大きいことを特徴とする光モジュール。
【請求項５】
光分波板を挿入する溝と、前記溝の片側の面の上部に第１の光ファイバの側面が露出しない第１平坦部と、前記溝の他方の面の上部に第２の光ファイバの側面が露出した第２平坦部とを備えたフェルールと、前記光分波板と、受光素子を実装した基板とを備えた光モジュールにおいて、
前記フェルールの第２平坦部の面を基準とした前記フェルールの第１平坦部の面の高さが、前記基板の実装面を基準とした前記受光素子の高さより大きく、かつ前記受光素子を実装した基板に、前記基板の実装面を基準とした前記受光素子の高さより大きいスペーサを備えたことを特徴とする光モジュール。
【請求項６】
前記フェルールにジルコニアフェルールを用いたことを特徴とする請求項３から５のいずれか１つに記載の光モジュール。
【請求項７】
前記フェルールにガラスフェルールを用いたことを特徴とする請求項３から５のいずれか１つに記載の光モジュール。
【請求項８】
前記フェルールにメタルフェルールを用いたことを特徴とする請求項３から５のいずれか１つに記載の光モジュール。
【請求項９】
前記光分波板に波長フィルタを用いたことを特徴とする請求項３から５のいずれか１つに記載の光モジュール。
【請求項１０】
前記光分波板に偏光フィルタを用いたことを特徴とする請求項３から５のいずれか１つに記載の光モジュール。
【請求項１１】
前記光分波板にハーフミラーを用いたことを特徴とする請求項３から５のいずれか１つに記載の光モジュール。
【発明の詳細な説明】
【０００１】
【発明の属する技術分野】
本発明は光通信用のフェルール及び光モジュールに関する。
【０００２】
【従来の技術】
光分波板を挿入する溝を備えたフェルールと、光分波板と、受光素子を実装した基板とを備えた光モジュールの従来の例を図４に示す。光モジュールは、フェルール１、第１の光ファイバ２ａ、第２の光ファイバ２ｂ、第２平坦部４、光分波板挿入溝５、光分波板６、基板８、受光素子９、接着剤１０、第１の光ファイバ端１１ａ、第２の光ファイバ端１１ｂから構成されている。
【０００３】
このように構成された従来の光モジュールの作用について説明する。第２の光ファイバ２ｂ内を伝搬してきた受信光は、第２の光ファイバ端１１ｂから出射して、フェルール１に形成された光分波板挿入溝５に挿入されている光分波板６によって反射作用を受ける。反射した受信光は、第１の光ファイバ２ａ及び第２の光ファイバ２ｂが露出した第２平坦部４上に接着剤１０により固定されている基板８に実装された受光素子９に入射し、受光素子９にて光電変換される。
【０００４】
第２平坦部４は、第１の光ファイバ２ａ及び第２の光ファイバ２ｂの側面が露出するように形成されており、光分波板６で反射する受信光と受光素子９とが高い結合効率で結合するよう、第２の光ファイバ２ｂとの距離を狭め、かつ反射した受信光がフェルール１に妨げられることがないようにしている。
【０００５】
一方、第１の光ファイバ２ａを伝搬する不図示の送信光は、第１の光ファイバ端１１ａから出射した後、光分波板６を透過して第２の光ファイバ端１１ｂへ入射し、第２の光ファイバ２ｂを伝搬する。このように構成された光モジュールが下記の特許文献１に開示されている。
【０００６】
【特許文献１】
特開２００２−９０５７８号公報（段落００２５、００２６）
【０００７】
【発明が解決しようとする課題】
しかし、上記のように構成された光モジュールにおいて、受光素子９と受信光との結合効率を一定に保つための受光素子９と光ファイバとの間の所定の距離は、受光素子９を実装した基板８と光ファイバが露出した第２平坦部４との結合部を顕微鏡などで観察しながら調整する必要がある。以下、光ファイバというときは、第１の光ファイバ２ａ及び第２の光ファイバ２ｂを含むものとする。そのため距離調整に時間がかかり、光モジュールのコストを上昇させる要因になる。さらに、受光素子９を実装した基板８と光ファイバが露出した第２平坦部４との面が互いに傾いている場合には、距離に誤差が生じて光モジュールの感度にばらつきが発生する。
【０００８】
また、受光素子９と光ファイバが露出した第２平坦部４との距離をいくらでも近づけることができる構造のため、距離調整の際に、受光素子９と光ファイバが露出した第２平坦部４又は光分波板６とを接触させ、受光素子９又は光分波板６を損傷させる恐れがある。さらに、受光素子９と光分波板６との接触を回避するため、光ファイバが露出した第２平坦部４から光分波板６の突き出し量を少なくすると、光分波板６が光ファイバ端を完全に覆い切れなくなり、光分波特性の劣化を生じさせる。
【０００９】
これに加えて、光ファイバが露出した第２平坦部４に基板８を接着している接着剤１０が外気と接している領域が大きいので、接着剤１０が湿度の影響を受けて接着力が低下し、光モジュールの光学特性が劣化するという信頼性に対する課題を有する。さらに、光分波板挿入溝５に光分波板６を挿入することが容易ではなかった。
【００１０】
本発明は、このような課題を解決するためになされたもので、組立調整が容易で、受光感度のばらつきが少なく、光分波特性が優れた信頼性の高いフェルール及び光モジュールを提供することを目的とする。
【００１１】
【課題を解決するための手段】
上記課題を解決するために、本発明では、光分波板を挿入する溝を備えたフェルールに、第１の光ファイバの側面が露出しない第１平坦部と、第２の光ファイバの側面が露出した第２平坦部とを設けた。すなわち、本発明によれば、光分波板を挿入する溝を備えたフェルールにおいて、前記溝の片側の面の上部に第１の光ファイバの側面が露出しない第１平坦部と、前記溝の他方の面の上部に第２の光ファイバの側面が露出した第２平坦部とを備えたフェルールが提供される。この構成により、第１平坦部は受光素子を実装した基板と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くすることができる。
【００１２】
また、上記発明に、前記第２平坦部に接して前記第２の光ファイバ側面が露出しない第３平坦部を更に備え、前記第１平坦部の面の高さと前記第３平坦部の面の高さとを一致させたことは、本発明の好ましい態様である。この構成により、第３平坦部は第１平坦部と共に受光素子を実装した基板と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くすることができる。
【００１３】
また、本発明によれば、光分波板を挿入する溝と、前記溝の片側の面の上部に第１の光ファイバの側面が露出しない第１平坦部と、前記溝の他方の面の上部に第２の光ファイバの側面が露出した第２平坦部とを備えたフェルールと、前記光分波板と、受光素子を実装した基板とを備えた光モジュールにおいて、前記フェルールの第２平坦部の面を基準とした前記フェルールの第１平坦部の面の高さが、前記基板の実装面を基準とした前記受光素子の高さより大きい光モジュールが提供される。この構成により、受光素子を実装した基板は、受光素子を保持するとともにフェルールの第１平坦部と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くすることができる。
【００１４】
また、本発明によれば、光分波板を挿入する溝と、前記溝の片側の面の上部に第１の光ファイバの側面が露出しない第１平坦部と、前記溝の他方の面の上部に第２の光ファイバの側面が露出した第２平坦部と、前記第２平坦部に接して前記第２の光ファイバの側面が露出しない第３平坦部とを備え、前記第１平坦部の面の高さと前記第３平坦部の面の高さとを一致させたフェルールと、前記光分波板と、受光素子を実装した基板とを備えた光モジュールにおいて、前記フェルールの第２平坦部の面を基準とした前記フェルールの第１平坦部の面及び前記フェルールの第３平坦部の面の高さが、前記基板の実装面を基準とした前記受光素子の高さより大きい光モジュールが提供される。この構成により、受光素子を実装した基板は、フェルールの第１平坦部及び第３平坦部と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くすることができる。
【００１５】
また、本発明によれば、光分波板を挿入する溝と、前記溝の片側の面の上部に第１の光ファイバの側面が露出しない第１平坦部と、前記溝の他方の面の上部に第２の光ファイバの側面が露出した第２平坦部とを備えたフェルールと、前記光分波板と、受光素子を実装した基板とを備えた光モジュールにおいて、前記フェルールの第２平坦部の面を基準とした前記フェルールの第１平坦部の面の高さが、前記基板の実装面を基準とした前記受光素子の高さより大きく、かつ前記受光素子を実装した基板に、前記基板の実装面を基準とした前記受光素子の高さより大きいスペーサを備えた光モジュールが提供される。この構成により、スペーサがフェルールの第２平坦部と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くすることができる。
【００１６】
また、本発明の光モジュールのフェルールにジルコニアフェルールを用いることは、本発明の好ましい態様である。この構成により、組立調整が容易で、受光感度のばらつきが少なく、光分波特性が優れた信頼性の高い光モジュールを提供することができる。
【００１７】
また、本発明の光モジュールのフェルールにガラスフェルールを用いることは、本発明の好ましい態様である。この構成により、組立調整が容易で、受光感度のばらつきが少なく、光分波特性が優れた信頼性の高い光モジュールを提供することができる。
【００１８】
また、本発明の光モジュールのフェルールにメタルフェルールを用いることは、本発明の好ましい態様である。この構成により、組立調整が容易で、受光感度のばらつきが少なく、光分波特性が優れた信頼性の高い光モジュールを提供することができる。
【００１９】
また、本発明の光モジュールの光分波板に波長フィルタを用いることは、本発明の好ましい態様である。この構成により、受信光を波長により選別し反射することができる。
【００２０】
また、本発明の光モジュールの光分波板に偏光フィルタを用いることは、本発明の好ましい態様である。この構成により、受信光を偏光方向により選別し反射することができる。
【００２１】
また、本発明の光モジュールの光分波板にハーフミラーを用いることは、本発明の好ましい態様である。この構成により、受信光の一部を反射することができる。
【００２２】
【発明の実施の形態】
＜第１の実施の形態＞
以下、本発明の第１の実施の形態について図１及び図２を用いて説明する。図１は本発明の第１の実施の形態に係るフェルールの斜視図であり、図２は本発明の第１の実施の形態に係る光モジュールの図１の略中心部分での断面図である。図１及び図２において、フェルール１は、第３平坦部３、第１平坦部７を備えている。なお、図４の要素と同一又は対応する要素は、同様の符号を付し説明を省略する。
【００２３】
フェルール１は、例えば、精密加工に適したジルコニアを材料に用いる。フェルール１は、切削により第１平坦部７、第２平坦部４、第３平坦部３、光分波板挿入溝５を形成している。
【００２４】
第１平坦部７は、光分波板挿入溝５の片側の面の上部に第１の光ファイバ２ａの側面を露出しないように形成されている。一方、光分波板挿入溝５の溝の他方の面の上部には、第２平坦部４が第２の光ファイバ２ｂの側面を露出するように形成されており、さらに、第３平坦部３が第２平坦部４に接して第２の光ファイバ２ｂの側面を露出しないように形成されている。また、フェルール１は、第１平坦部７の面と第３平坦部３の面との高さを一致させており、第２平坦部４の面を基準とした第１平坦部７及び第３平坦部３の面の高さを基板８の実装面を基準とした受光素子９の高さより大きくなるように、第１平坦部７と第３平坦部３とを形成している。
【００２５】
フェルール１の断面の中心には、第１の光ファイバ２ａと第２の光ファイバ２ｂとが光分波板挿入溝５を挟んで互いに光軸が一致するように配置されている。第１の光ファイバ２ａ及び第２の光ファイバ２ｂは、フェルール１に対して掘削により形成した貫通穴に光ファイバを挿入して不図示の接着剤によって固定された後、光分波板６を挿入できる幅の光分波板挿入溝５が掘削されるため、分離して配置される。
【００２６】
光分波板６は、例えば、波長フィルタを用いており、光分波板挿入溝５に挿入して接着剤１０によって固定する。光分波板６の上端は、第３平坦部３より高くならないように光分波板６の大きさ及び位置を調整し、光分波板挿入溝５に固定する。
【００２７】
受光素子９は、基板８上の配線に電気接続されるとともに基板８と機械的に接着固定されている。受光素子９を実装した基板８の面は、フェルール１の第１平坦部７及び第３平坦部３の面と接するようにするとともに、光分波板６で反射した受信光が受光素子９と結合するように基板８の位置を調整して接着剤１０によって固定する。接着剤１０には、エポキシ系又はアクリル系のいずれかの光学接着剤を用いてもよい。
【００２８】
次に、第１の実施の形態の動作について、図２を用いて説明する。第２の光ファイバ２ｂ内を伝搬する受信光は、第２の光ファイバ端面１１ｂから出射し光分波板６へ入射する。光分波板６によって受信光は波長選択作用により反射し、基板８に実装された受光素子９に入射する。受光素子９に入射した受信光は電気信号に変換される。
【００２９】
一方、受信光の波長と異なる波長を持つ光源により生成された第１の光ファイバ２ａを伝搬する不図示の送信光は、第１の光ファイバ端面１１ａから出射して光分波板６に入射する。受信光と異なる波長の送信光は、光分波板６を透過して第２の光ファイバ端１１ｂへ入射し、第２の光ファイバ２ｂ内を伝搬する。
【００３０】
基板８はフェルール１の第１平坦部７及び第３平坦部３と接するように位置決めされており、これにより基板８に実装された受光素子９は、第２平坦部４に接することなく第２の光ファイバ２ｂと所望の距離で保持される。
【００３１】
以上により、第１の実施の形態では、受光素子９を実装した基板８がフェルール１の第１平坦部７及び第３平坦部３に接するように配置されることより、受光素子９と光ファイバとの間の距離を一定に保つことが可能となり、受光部の組立調整が容易になるとともに受光感度のばらつきを抑えることができる。
【００３２】
また、受光部の組立調整時の受光素子９及び光分波板６の損傷を回避することができるとともに、第２の光ファイバ２ｂが露出した第２平坦部４から光分波板６の突き出し量を十分に確保することが可能となり、光分波特性の劣化を防止することができる。さらに、第２の光ファイバ２ｂが露出した第２平坦部４の領域が小さくなるので、光ファイバが露出した第２平坦部４に基板８を接着している接着剤１０の湿度の影響による光モジュールの光学特性の劣化を抑制することができる。それらに加え、光分波板挿入溝５の上端の高い面に沿って光分波板６を光分波板挿入溝５へ容易に挿入することができる。
【００３３】
なお、第１の実施の形態においては、フェルール１にジルコニアフェルールを用いた構成について説明したが、フェルール１にガラスフェルール又はメタルフェルールを用いた構成についても、同様に実施可能である。
【００３４】
＜第２の実施の形態＞
次に、本発明の第２の実施の形態について図３を用いて説明する。図３は、本発明の第２の実施の形態に係る光モジュールの図１の略中心部分での断面図である。図３において、光モジュールはスペーサ１２を備えている。なお、図１及び図２並びに図４の要素と同一又は対応する要素は、同様の符号を付し説明を省略する。
【００３５】
スペーサ１２は、例えば、ガラス材を研削して形成する。スペーサ１２は、その高さが基板８の実装面を基準とする受光素子９の高さより大きく、また第２平坦部４の面を基準とした第１平坦部７の面の高さと同程度の高さとなるように形成し、基板８の実装面に接着剤１０によって固定する。
【００３６】
次に、第２の実施の形態の動作について、図３を用いて説明する。第２の光ファイバ２ｂ内を伝搬する受信光が受光素子９に入射して、電気信号に変換される過程及び不図示の受信光の波長と異なる波長を持つ光源により生成された第１の光ファイバ２ａを伝搬する送信光が、第２の光ファイバ２ｂ内を伝搬する過程は、第１の実施の形態と同様である。
【００３７】
基板８は、その実装面がフェルール１の第１平坦部７へ接し、また基板８に固定されているスペーサ１２がフェルール１の第２平坦部４へ接するように位置決めされており、これにより基板８に実装された受光素子９は、第２平坦部４に接することなく第２の光ファイバ２ｂと所望の距離で保持される。
【００３８】
以上により、第２の実施の形態では、受光素子９を実装した基板８がフェルール１の第１平坦部７に接するように、かつスペーサ１２はフェルール１の第２平坦部４と接するように配置することにより、受光素子９と光ファイバとの間の距離を一定に保つことが可能となり、受光部の組立調整が容易になるとともに受光感度のばらつきを抑えることができる。
【００３９】
また、受光部の組立調整時の受光素子９及び光分波板６の損傷を回避することができるとともに、第２の光ファイバ２ｂが露出した第２平坦部４から光分波板６の突き出し量を十分に確保することが可能となり、光分波特性の劣化を防止することができる。さらに、第２の光ファイバ２ｂが露出した第２平坦部４の領域が小さくなるので、光ファイバが露出した第２平坦部４に基板８を接着している接着剤１０の湿度の影響による光モジュールの光学特性の劣化を抑制することができる。それらに加え、光分波板挿入溝５の上端の高い面に沿って光分波板６を光分波板挿入溝５へ容易に挿入することができる。
【００４０】
なお、第２の実施の形態では、光分波板６に波長フィルタを用いた構成について説明したが、受信光と送信光との偏光方向が異なる場合においては、光分波板６に偏光フィルタを用いて受信光を反射させ、送信光を透過させる構成も同様に実施可能である。また、ハーフミラーを用いて受信光の一部を光分波板６によって反射し、送信光の一部を透過させる構成も同様に実施可能である。
【００４１】
【発明の効果】
以上のように、本発明では、光分波板を挿入する溝を備えたフェルールにおいて、溝の片側の面の上部に第１の光ファイバの側面が露出しない第１平坦部と、溝の他方の面の上部に第２の光ファイバの側面が露出した第２平坦部とを備えたので、第１平坦部は受光素子を実装した基板と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くするフェルールを提供することができる（請求項１）。
【００４２】
また、本発明では、光分波板を挿入する溝と、溝の片側の面の上部に第１の光ファイバの側面を露出させない第１平坦部と、溝の他方の面の上部に第２の光ファイバの側面を露出した第２平坦部とを備えたフェルールと、光分波板と、受光素子を実装した基板とを備えた光モジュールにおいて、フェルールの第２平坦部の面を基準としたフェルールの第１平坦部の面の高さを、基板の実装面を基準とした受光素子の高さより大きくしたので、第３平坦部は第１平坦部と共に受光素子を実装した基板と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くする光モジュールを提供することができる（請求項３）。
【００４３】
また、本発明では、光分波板を挿入する溝と、溝の片側の面の上部に第１の光ファイバの側面を露出させない第１平坦部と、溝の他方の面の上部に第２の光ファイバの側面を露出した第２平坦部と、第２平坦部に接して第２の光ファイバの側面を露出しない第３平坦部とを備え、第１平坦部の面の高さと第３平坦部の面の高さとを一致させたフェルールと、光分波板と、受光素子を実装した基板とを備えた光モジュールにおいて、フェルールの第２平坦部の面を基準としたフェルールの第１平坦部の面及びフェルールの第３平坦部の面の高さを、基板の実装面を基準とした受光素子の高さより大きくしたので、受光素子を実装した基板はフェルールの第１平坦部及び第３平坦部と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くする光モジュールを提供することができる（請求項４）。
【００４４】
また、本発明では、光分波板を挿入する溝と、溝の片側の面の上部に第１の光ファイバの側面を露出させない第１平坦部と、溝の他方の面の上部に第２の光ファイバの側面を露出した第２平坦部とを備えたフェルールと、光分波板と、受光素子を実装した基板とを備えた光モジュールにおいて、フェルールの第２平坦部の面を基準としたフェルールの第１平坦部の面の高さを、基板の実装面を基準とした受光素子の高さより大きく、かつ受光素子を実装した基板に、基板の実装面を基準とした受光素子の高さより大きいスペーサを備えたので、スペーサがフェルールの第２平坦部と接し、受光素子と第２の光ファイバとの間の距離を一定に保ち、光分波板で反射した受信光が受光素子と高い結合効率で結合するため、組立調整が容易で、受光感度のばらつきが少なく、光分波特性が優れ、信頼性を高くする光モジュールを提供することができる（請求項５）。
【図面の簡単な説明】
【図１】本発明の第１の実施の形態に係るフェルールの斜視図
【図２】本発明の第１の実施の形態に係る光モジュールの図１の略中心部分での断面図
【図３】本発明の第２の実施の形態に係る光モジュールの図１の略中心部分での断面図
【図４】従来の光モジュールの断面図
【符号の説明】
１  フェルール
２ａ  第１の光ファイバ
２ｂ  第２の光ファイバ
３  第３平坦部
４  第２平坦部
５  光分波板挿入溝
６  光分波板
７  第１平坦部
８  基板
９  受光素子
１０  接着剤
１１ａ  第１の光ファイバ端
１１ｂ  第２の光ファイバ端
１２  スペーサ
【図１】
2004347827.tif 000003
【図２】
2004347827.tif 000004
【図３】
2004347827.tif 000005
【図４】
2004347827.tif 000006